(57)【要約】【課題】ユーザの耳甲介の形状に応じて、装着安定性をより向上させることが可能なイヤホン装置および耳甲介装着部材を提供する。【解決手段】このイヤホン装置１００は、突起部１２は、耳甲介の底面に向かう方向に凸形状を有するアーチ形状に形成されているとともに、耳甲介装着部１がユーザの耳甲介に装着された場合に、外部から耳甲介の底面に向かう方向に対して垂直方向の面内において、耳甲介の対耳輪側の耳壁面の形状に合わせて撓み変形可能に形成されている。【選択図】図２
2015111750.tif 000002
【特許請求の範囲】
【請求項１】
音声を出力するスピーカを含む筐体部と、
前記筐体部に取り付けられ、ユーザの耳甲介に装着される耳甲介装着部とを備え、
前記耳甲介装着部は、前記筐体部に取り付けられる取付部と、前記取付部から突出するように形成され、耳甲介の対耳輪側の耳壁面に接する突起部とを含み、
前記突起部は、耳甲介の底面に向かう方向に凸形状を有するアーチ形状に形成されているとともに、前記耳甲介装着部がユーザの耳甲介に装着された場合に、外部から耳甲介の底面に向かう方向に対して垂直方向の面内において、耳甲介の対耳輪側の耳壁面の形状に合わせて撓み変形可能に形成されている、イヤホン装置。
【請求項２】
前記突起部は、前記取付部側から前記突起部の先端部に向かって延びる複数の突出部を含む、請求項１に記載のイヤホン装置。
【請求項３】
前記複数の突出部は、外部から耳甲介の底面に向かう方向に見た場合に、互いに前記複数の突出部の一部が重なるように形成されている、請求項２に記載のイヤホン装置。
【請求項４】
前記複数の突出部は、前記取付部側から前記突起部の先端部に向かって、先細り形状に形成されている、請求項２または３に記載のイヤホン装置。
【請求項５】
前記突起部は、外部から耳甲介の底面に向かう方向に見た場合に、耳甲介の対耳輪側の耳壁面に沿う湾曲形状を有するように形成されている、請求項１〜４のいずれか１項に記載のイヤホン装置。
【請求項６】
前記突起部は、外部から耳甲介の底面に向かう方向に見た場合に、櫛歯形状を有するように形成されている、請求項１〜５のいずれか１項に記載のイヤホン装置。
【請求項７】
前記突起部は、外部から耳甲介の底面に向かう方向に見た場合に、環状形状を有するように形成されている、請求項１に記載のイヤホン装置。
【請求項８】
音声を出力するスピーカを含む筐体部に取り付けられ、ユーザの耳甲介に装着される耳甲介装着部材であって、
前記筐体部に取り付けられる取付部と、
前記取付部から突出するように形成され、耳甲介の対耳輪側の耳壁面に接する突起部とを備え、
前記突起部は、耳甲介の底面に向かう方向に凸形状を有するアーチ形状に形成されているとともに、前記耳甲介装着部材がユーザの耳甲介に装着された場合に、外部から耳甲介の底面に向かう方向に対して垂直方向の面内において、耳甲介の対耳輪側の耳壁面の形状に合わせて撓み変形可能に形成されている、耳甲介装着部材。
【発明の詳細な説明】
【技術分野】
【０００１】
この発明は、イヤホン装置および耳甲介装着部材に関し、特に、耳甲介装着部を備えるイヤホン装置および耳甲介装着部材に関する。
【背景技術】
【０００２】
従来、耳甲介装着部を備えるイヤホン装置および耳甲介装着部材が知られている（たとえば、特許文献１参照）。
【０００３】
上記特許文献１には、タブ（耳甲介装着部）を備えるイヤホン装置が開示されている。このイヤホン装置は、弾性の材料を含み耳介に対して平行に延びるように形成されているとともに、アーチ形状に形成されているタブを備えており、タブは、耳甲介に取り付けられた場合には、耳甲介の底面方向または耳甲介の底面とは反対方向に弾性変形して、耳甲介の対耳輪側の耳壁面に接触するように形成されている。これにより、イヤホン装置の耳介に対しての装着安定性を向上させるように構成されている。
【先行技術文献】
【特許文献】
【０００４】
【特許文献１】米国特許第７９８６８０３号明細書
【発明の概要】
【発明が解決しようとする課題】
【０００５】
しかしながら、上記特許文献１のイヤホン装置では、耳甲介の底面方向または耳甲介の底面とは反対方向に弾性変形して、耳甲介の耳壁面に接触する一方、耳の形状はユーザ毎に、異なっており、特許文献１のイヤホン装置では、ユーザの耳介に対しての装着安定性は不十分である場合があるという問題点があると考えられる。
【０００６】
この発明は、上記のような課題を解決するためになされたものであり、この発明の１つの目的は、ユーザの耳甲介の形状に応じて、装着安定性をより向上させることが可能なイヤホン装置および耳甲介装着部材を提供することである。
【課題を解決するための手段】
【０００７】
この発明の第１の局面によるイヤホン装置は、音声を出力するスピーカを含む筐体部と、筐体部に取り付けられ、ユーザの耳甲介に装着される耳甲介装着部とを備え、耳甲介装着部は、筐体部に取り付けられる取付部と、取付部から突出するように形成され、耳甲介の対耳輪側の耳壁面に接する突起部とを含み、突起部は、耳甲介の底面に向かう方向に凸形状を有するアーチ形状に形成されているとともに、耳甲介装着部がユーザの耳甲介に装着された場合に、外部から耳甲介の底面に向かう方向に対して垂直方向の面内において、耳甲介の対耳輪側の耳壁面の形状に合わせて撓み変形可能に形成されている。
【０００８】
この発明の第１の局面によるイヤホン装置では、上記のような構成を有する突起部を設けることにより、耳甲介の底面に向かう方向に凸形状を有するアーチ形状によって、耳甲介の底面方向に弾性変形して装着安定性を向上させることができる。これに加えて、耳甲介装着部がユーザの耳甲介に装着された場合に、突起部は、外部から耳甲介の底面に向かう方向に対して垂直方向の面内において、耳甲介の対耳輪側の耳壁面の形状に合わせて撓み変形するので、ユーザの耳甲介の形状に応じて、装着安定性をより向上させることができる。
【０００９】
上記第１の局面によるイヤホン装置において、好ましくは、突起部は、取付部側から突起部の先端部に向かって延びる複数の突出部を含む。このように構成すれば、複数の突出部のうちのいずれかの突出部が耳甲介から脱落した場合でも、複数の突出部のうちの残りの突出部が耳甲介の対耳輪側の耳壁面に接触することができるので、イヤホン装置がユーザの耳甲介から脱落するのをより抑制することができる。これにより、より一層装着安定性を向上させることができる。
【００１０】
この場合、好ましくは、複数の突出部は、外部から耳甲介の底面に向かう方向に見た場合に、互いに複数の突出部の一部が重なるように形成されている。このように構成すれば、複数の突出部が互いに離れて形成されている場合と比べて、突起部が弾性変形することにより生じる耳甲介の耳壁面に対して押圧する力は大きくなるので、イヤホン装置の耳介に対しての装着安定性をさらに効果的に向上させることができる。
【００１１】
上記複数の突出部を含むイヤホン装置において、好ましくは、複数の突出部は、取付部側から突起部の先端部に向かって、先細り形状に形成されている。このように構成すれば、突出部の取付部側から先端部まで、同一の幅および厚みにする場合と異なり、突出部の先端部が撓みやすくなるので、よりユーザの耳甲介の耳壁面に応じた形状に弾性変形させることができる。
【００１２】
上記第１の局面によるイヤホン装置において、好ましくは、突起部は、外部から耳甲介の底面に向かう方向に見た場合に、耳甲介の対耳輪側の耳壁面に沿う湾曲形状を有するように形成されている。このように構成すれば、突起部が、耳甲介の対耳輪側の耳壁面に対して直線形状を有するように形成されている場合と比べて、突起部と耳甲介の対耳輪側の耳壁面とが接触する面積を、より大きくすることができる。
【００１３】
上記第１の局面によるイヤホン装置において、好ましくは、突起部は、外部から耳甲介の底面に向かう方向に見た場合に、櫛歯形状を有するように形成されている。このように構成すれば、櫛歯の歯部と歯部との間に隙間が生じるので、突起部が撓み変形する場合に、歯部同士が互いに干渉するのが抑制される。その結果、より効果的に、ユーザの耳甲介の形状に応じて弾性変形させることができる。
【００１４】
上記第１の局面によるイヤホン装置において、好ましくは、突起部は、外部から耳甲介の底面に向かう方向に見た場合に、環状形状を有するように形成されている。このように構成すれば、突起部が板状（すなわち、突起部の内部に開口を有しない）の場合と異なり、突起部が変形し易くなるので、イヤホン装置の耳介に対しての装着安定性をさらに向上させることができる。
【００１５】
この発明の第２の局面による耳甲介装着部材は、音声を出力するスピーカを含む筐体部に取り付けられ、ユーザの耳甲介に装着される耳甲介装着部材であって、筐体部に取り付けられる取付部と、取付部から突出するように形成され、耳甲介の対耳輪側の耳壁面に接する突起部とを備え、突起部は、耳甲介の底面に向かう方向に凸形状を有するアーチ形状に形成されているとともに、耳甲介装着部材がユーザの耳甲介に装着された場合に、外部から耳甲介の底面に向かう方向に対して垂直方向の面内において、耳甲介の対耳輪側の耳壁面の形状に合わせて撓み変形可能に形成されている。
【００１６】
この発明の第２の局面による耳甲介装着部材では、上記のような構成を有する突起部を設けることにより、耳甲介の底面に向かう方向に凸形状を有するアーチ形状によって、耳甲介の底面方向に弾性変形して装着安定性を向上させることができる。これに加えて、耳甲介装着部がユーザの耳甲介に装着された場合に、突起部は、外部から耳甲介の底面に向かう方向に対して垂直方向の面内において、耳甲介の対耳輪側の耳壁面の形状に合わせて撓み変形するので、ユーザの耳甲介の形状に応じて、装着安定性をより向上させることができる。
【発明の効果】
【００１７】
本発明によれば、上記のように、ユーザの耳甲介の形状に応じて、装着安定性をより向上させることが可能なイヤホン装置および耳甲介装着部材を提供することができる。
【図面の簡単な説明】
【００１８】
【図１】本発明の第１実施形態によるイヤホン装置の全体構成を示した図である。
【図２】本発明の第１実施形態による耳甲介装着部の斜視図である。
【図３】本発明の第１実施形態による耳甲介装着部の正面図である。
【図４】本発明の第１実施形態によるイヤホン装置を耳甲介に装着した状態を説明するための図である。
【図５】本発明の第１実施形態による耳甲介装着部の取付部の斜視図である。
【図６】本発明の第１実施形態による耳甲介装着部を耳甲介に装着した状態を説明するための図である。
【図７】本発明の第１実施形態によるイヤホン装置（筐体部と放音道部とを図示しない状態）を耳甲介に装着した状態を説明するための図である。
【図８】本発明の第１実施形態によるイヤホン装置の装着保持力を説明するための図である。
【図９】本発明の第１実施形態によるイヤホン装置の装着保持力の測定結果を説明するための図である。
【図１０】本発明の第２実施形態による耳甲介装着部の斜視図および断面図である。
【図１１】本発明の第３実施形態による耳甲介装着部の斜視図および側面図である。
【図１２】本発明の第４実施形態による耳甲介装着部の斜視図および断面図である。
【発明を実施するための形態】
【００１９】
以下、本発明を具体化した実施形態を図面に基づいて説明する。
【００２０】
（第１実施形態）
図１〜図７を参照して、本発明の第１実施形態によるイヤホン装置１００の構成を説明する。
【００２１】
本発明の第１実施形態によるイヤホン装置１００は、図１に示すように、耳甲介装着部１と、筐体部２と、放音道部３とを備えている。そして、耳甲介装着部１には、取付部１１と突起部１２とが設けられている。また、放音道部３は、ユーザの外耳道に差し込んで装着が可能（いわゆる、カナル型）に構成されている。
【００２２】
そして、図２に示すように、耳甲介装着部１はゴム等の弾性の材料を含み、弾性変形可能に形成されている。そして、耳甲介装着部１の取付部１１は、取付開口部１１ａと、取付係部１１ｂと、取付本体部１１ｃとを含む。そして、耳甲介装着部１の突起部１２は、４本の突出部１３〜１６により構成されている。
【００２３】
また、図３に示すように、筐体部２は、筐体底部２１と、筐体本体部２２と、筐体上部２３とを含む。また、放音道部３は、円筒部３１と、イヤーピース３２と、放音開口部３３（図１参照）とを含む。そして、筐体底部２１は、筐体部２の外耳道側（図３の矢印Ｚ２方向かつ矢印Ｙ２方向側）に設けられており、円形形状を有するとともに、放音道部３の円筒部３１と接続されるように構成されている。また、図３に示すように、筐体本体部２２は、筐体底部２１から外耳道側とは反対方向（図３の矢印Ｚ１方向かつ矢印Ｙ１方向）に延びるように形成されている。
【００２４】
また、図４に示すように、筐体部２は、イヤホン装置１００がユーザの耳甲介に装着された際には、ユーザの耳珠および対耳珠の耳壁面に接触するように構成されている。そして、筐体上部２３は、筐体本体部２２の外耳道側とは反対側（図４の矢印Ｙ１方向）に設けられ、突起部１１と略同じ半径の円形形状に形成されている。そして、筐体上部２３は、ユーザがイヤホン装置１００を耳甲介に脱着する場合に、筐体上部２３を保持して脱着可能に構成されている。
【００２５】
そして、図１および図３に示すように、放音道部３のイヤーピース３２は、弾性材料を含み、ドーム形状に形成されているとともに、イヤーピース３２の内部方向に弾性変形しながらユーザの外耳道に装着されるように構成されている。また、放音開口部３３は、イヤーピース３２の外耳道側に円形形状に形成されており、ユーザの耳に音声を放音するように構成されている。また、円筒部３１は、筐体部２の内部に設けられているスピーカ（図示せず）から出力された音声を放音開口部３３から放音可能に円筒形状に構成されている。
【００２６】
また、図５に示すように、取付開口部１１ａは、円形形状に形成された取付本体部１１ｃの一方側（図５の矢印Ｙ２方向側）に形成され、互いに一部分がオーバーラップする２つの円形形状の開口部により構成されている。そして、イヤホン装置１００が左耳装着用に用いられた場合には、放音道部３の円筒部３１は、一方の円形形状の開口部（図５の点線Ａ）を貫通して、放音道部３のイヤーピース３２を取付可能に構成されている。また、イヤホン装置１００が右耳装着用に用いられた場合には、放音道部３の円筒部３１は、一方の円形形状の開口部（図５の点線Ｂ）を貫通して、放音道部３のイヤーピース３２を取付可能に構成されている。すなわち、耳甲介装着部１は、左耳装着用のイヤホン装置１００の筐体部２および右耳装着用のイヤホン装置１００の筐体部２のいずれにも装着可能に構成されている。
【００２７】
また、図５に示すように、耳甲介装着部１の取付係部１１ｂは、円形形状に形成された取付本体部１１ｃの円周上から上側方向へ突出するように形成されている。そして、取付係部１１ｂは、筐体部２の筐体底部２１を外部から覆うように取り付けられる。そして、取付部係部１１ｂが弾性変形して、取付係部１１ｂの内側方向に力が加わることによって、取付部１１は、筐体底部２１から離間しないように構成されている。
【００２８】
ここで、第１実施形態では、図２に示すように、耳甲介装着部１の突出部１３〜１６は、それぞれ取付部１１から延びるように形成されている。また、突出部１３〜１６は、取付部１１側から突出部１３〜１６の先端部に向かって、先細り形状に形成されている。具体的には、突出部１３〜１６は、円形形状に形成された取付部１１の取付開口部１１ａの他方側（図２の矢印Ｙ１方向）の円周上の外側に接続されるように、それぞれ形成されている。そして、突出部１３〜１６のそれぞれの取付部１１側は、幅Ｗ１、高さＨ１に形成されており、突出部１３〜１６のそれぞれの先端部は幅Ｗ２、高さＨ２の柱形状に形成されている。ここで、幅Ｗ１および幅Ｗ２と、高さＨ１および高さＨ２とは、以下の式（１）の関係がある。また、突出部１３〜１６の先端を結ぶ形状は略直線形状に形成されている。
Ｗ１＞Ｗ２、Ｈ１＞Ｈ２・・・（１）
【００２９】
また、第１実施形態では、図２に示すように、耳甲介装着部１の突出部１３〜１６は、外部から耳甲介の底面に向かう方向（図２の矢印Ｚ２方向）に見た場合に、櫛歯形状を有するように形成されている。具体的には、突出部１３と突出部１４との間の取付部１１側は、間隔Ｄ１を有する隙間が設けられているとともに、突出部１３の先端部と突出部１４の先端部との間には、間隔Ｄ２を有する隙間が設けられている。突出部１４と突出部１５との間および突出部１５と突出部１６との間も同様に、取付部１１側は、間隔Ｄ１を有する隙間が設けられているとともに、先端部側には、間隔Ｄ２を有する隙間が設けられている。そして、間隔Ｄ１と間隔Ｄ２とは、以下の式（２）の関係がある。
Ｄ１＜Ｄ２・・・（２）
【００３０】
また、第１実施形態では、図６に示すように、突出部１３は、突出接触部１３ａと、突出上辺部１３ｂと、突出下辺部１３ｃとを含み、突出接触部１３ａは、耳甲介装着部１がユーザの耳甲介に装着された際に、ユーザの耳甲介の対耳輪側の耳壁面（図６参照）に接触するように構成されている。なお、突出部１４〜１６も突出部１３と同様に構成されている。
【００３１】
ここで、第１実施形態では、耳甲介装着部１の突出部１３〜１６は、耳甲介に装着しない状態で、曲率半径３０ｍｍのアーチ形状（曲率半径８ｍｍ以上５００ｍｍ以下が好ましい）を有しており、ユーザの耳甲介に装着された場合、耳甲介の底面に向かう方向（図６矢印Ｚ２方向）に凸形状を有するように構成されている。そして、突出部１３〜１６は、取付部１１とユーザの耳甲介の対耳輪側の耳壁面との距離Ｄ３（図６参照）に合わせて弾性変形して、曲率を小さくするとともに、ユーザの耳甲介の対耳輪側の耳壁面に押圧するように構成されている。また、取付部１１および筐体部２は、ユーザの耳甲介の耳珠側および対耳珠側の耳壁面に接触するように構成されている。
【００３２】
また、第１実施形態では、図７に示すように、突起部１２は、外部から耳甲介の底面に向かう方向（図７のＺ２方向）に対して垂直方向（図７のＸＹ平面上）の面内において、耳甲介の対耳輪側の耳壁面の形状に合わせて撓み変形可能に形成されている。具体的には、図７に示すように、突出部１３〜１６は、上述したように、それぞれ高さＨ１〜Ｈ２および幅Ｗ１〜Ｗ２を有するように形成されている。ここで、高さＨ１〜Ｈ２と幅Ｗ１〜Ｗ２とは、以下の式（３）の関係を有しており、耳甲介装着部１がユーザの耳甲介に装着された場合には、突出部１３〜１６は、ユーザの耳甲介の耳壁面の形状（すなわち、突出接触部１３ａから取付部１１までの距離（図７矢印Ｄ３）と、突出接触部１３ａがユーザの耳甲介の対耳輪側の耳壁面に接触する方向（図７点線Ｃ）と）に応じて、撓み変形するように構成されている。
Ｈ１＞Ｗ１、かつ、Ｈ２＞Ｗ２・・・（３）
【００３３】
また、図７に示すように、突出部１３〜１６の撓み変形は、櫛歯形状の突出部１３〜１６のそれぞれの隙間の大きさを上述した耳甲介の耳壁面の形状に応じて変化させることによって、外部から耳甲介の底面に向かう方向（図７のＺ２方向）に対して垂直方向（図７のＸＹ平面上）の面内において、撓むように構成されている。
【００３４】
次に、図６および図８を参照して、イヤホン装置１００が外部から耳甲介とは反対側の方向に力を加えられていない場合と、イヤホン装置１００が外部から耳甲介とは反対側の方向に力を加えられている場合とにおけるイヤホン装置１００の形状の変化を説明する。
【００３５】
図６に示すように、イヤホン装置１００に外部からの力が加えられていない場合、イヤホン装置１００がユーザの耳甲介に装着された後、突起部１２のそれぞれのアーチ形状に形成された突出部１３〜１６のアーチ形状の曲率半径Ｒが、耳甲介に装着されていない場合よりも、小さく（曲率半径Ｒ１に）なるように弾性変形する。そして、突出部１３〜１６が弾性変形することによって、突出部１３〜１６から耳甲介の対耳輪側の耳壁面に対して、力Ｆ１を与える。そして、力Ｆ１の反作用の力と、筐体本体部２２と耳珠（図４参照）との接触する力および筐体本体部２２と対耳珠（図４参照）との接触する力によって、イヤホン装置１００は、ユーザの耳甲介から脱落するのを抑制されるとともに、装着安定性を維持する。
【００３６】
ここで、図８に示すように、イヤホン装置１００に外部から耳甲介とは反対側の方向に力を加えられた場合には、突出部１３〜１６は、アーチ形状の曲率半径がＲ１よりも大きくなるように弾性変形する。すなわち、突出部１３〜１６は、耳甲介の対耳輪側の耳壁面に対して突っ張るように弾性変形する。これにより、突起部１１から耳甲介の対耳輪側の耳壁面に対して加えられる力はＦ２（＞Ｆ１）となり、イヤホン装置１００に外部からの力が加えられていない場合よりも、大きな力を与える。そして、力Ｆ２の反作用の力と、筐体本体部２２と耳珠との接触する力および筐体本体部２２と対耳珠との接触する力によって、イヤホン装置１００は、ユーザの耳甲介から脱落するのを抑制されるとともに、装着安定性を維持する。
【００３７】
次に、図９を参照して、本発明の第１実施形態によるイヤホン装置１００において、突起部１１が耳甲介の底面に向かう方向に凸形状を有するアーチ形状に形成されている場合と、突起部１１が耳甲介の底面に向かう方向に凸形状を有していない場合とのイヤホン装置１００の耳甲介に対する装着安定性（装着保持力）の比較を行うために行った実験について説明する。
【００３８】
この実験においては、まず、図９に示すように、第１実施形態によるイヤホン装置１００の耳甲介装着部１を、疑似耳介（図９（ａ）参照）に装着した。そして、外部から疑似耳介とは反対側の方向（図９のＺ１方向）に力（荷重）を加え、耳甲介装着部１が疑似耳介から脱落するのに要する力（装着保持力）を、プッシュプルゲージ（図示せず）によって測定した。また、比較のために、第１実施形態によるイヤホン装置１００の耳甲介装着部１と同一の材料によって形成されるとともに、環状形状に形成されており耳甲介の底面に向かう方向に凸形状を有していない突起部が設けられた耳甲介装着部（図９の（ｂ）従来品１参照）の装着保持力を、プッシュプルゲージによって測定した。さらに、比較のために、耳甲介の対耳輪側の耳壁面に沿った形状（三日月形状）に形成されているとともに、耳甲介の底面に向かう方向に凸形状を有していない突起部が設けられた耳甲介装着部（図９の（ｃ）従来品２参照）の装着保持力を、プッシュプルゲージによって測定した。これらの測定結果は図９（ａ）〜（ｃ）に記載している。
【００３９】
図８に示すように、第１実施形態によるイヤホン装置１００の耳甲介装着部１の装着保持力の測定結果（図９の（ａ））は、測定１回目１．２８Ｎ、測定２回目１．０１Ｎ、測定３回目１．１５Ｎであり、平均値は、１．１５Ｎであった。そして、環状形状に形成されているとともに耳甲介の底面に向かう方向に凸形状を有していない突起部が設けられた耳甲介装着部（図９の（ｂ））の装着保持力は、測定１回目０．７６Ｎ、測定２回目０．８３Ｎ、測定３回目０．９８Ｎであり、平均値は、０．８６Ｎであった。また、耳甲介の対耳輪側の耳壁面に沿った形状（三日月形状）に形成されているとともに耳甲介の底面に向かう方向に凸形状を有していない突起部が設けられた耳甲介装着部（図９の（ｃ））の装着保持力は、測定１回目０．９８Ｎ、測定２回目０．８４Ｎ、測定３回目１．１２Ｎであり、平均値は、０．９８Ｎであった。以上の結果より、上記３つの耳甲介装着部のうち最も装着保持力が大きいのは、第１実施形態によるイヤホン装置１００の耳甲介装着部１の装着保持力であることが判明した。
【００４０】
第１実施形態では、以下のような効果を得ることができる。
【００４１】
第１実施形態では、上記のように、突起部１２を、耳甲介の底面に向かう方向に凸形状を有するアーチ形状に形成するとともに、耳甲介装着部１がユーザの耳甲介に装着された場合に、外部から耳甲介の底面に向かう方向に対して垂直方向の面内において、耳甲介の対耳輪側の耳壁面の形状に合わせて撓み変形可能に形成する。これにより、耳甲介の底面に向かう方向に凸形状を有するアーチ形状によって、耳甲介の底面方向に弾性変形して装着安定性を向上させることができる。これに加えて、耳甲介装着部がユーザの耳甲介に装着された場合に、突起部１２は、外部から耳甲介の底面に向かう方向に対して垂直方向の面内において、耳甲介の対耳輪側の耳壁面の形状に合わせて撓み変形するので、ユーザの耳甲介の形状に応じて、装着安定性をより向上させることができる。
【００４２】
また、第１実施形態では、上記のように、突起部１２は、取付部１１側から突起部１２の先端部に向かって延びる突出部１３〜１６を含む。これにより、突出部１３〜１６のうちのいずれかが耳甲介から脱落した場合でも、突出部１３〜１６のうちの残りの突出部１３〜１６が耳甲介の対耳輪側の耳壁面に接触することができるので、イヤホン装置１００がユーザの耳甲介から脱落するのをより抑制することができる。これにより、より一層装着安定性を向上させることができる。
【００４３】
また、第１実施形態では、上記のように、突出部１３〜１６を、取付部１１側から突起部１２の先端部に向かって、先細り形状に形成する。これにより、突出部１３〜１６を取付部１１側から先端部まで、同一の幅および厚みにする場合と異なり、突出部１３〜１６の先端部の幅または厚みが小さくなることによって、よりユーザの耳甲介の耳壁面に応じた形状に弾性変形させることができる。
【００４４】
また、第１実施形態では、上記のように、突起部１２を、外部から耳甲介の底面に向かう方向に見た場合に、櫛歯形状を有するように形成する。これにより、櫛歯の歯部（突出部１３〜１６）と歯部（突出部１３〜１６）との間に隙間が生じるので、突起部１２が撓み変形する場合に、歯部（突出部１３〜１６）同士が互いに干渉するのが抑制される。その結果、より効果的に、ユーザの耳甲介の形状に応じて弾性変形させることができる。
【００４５】
（第２実施形態）
次に、図１０を参照して、第２実施形態のイヤホン装置１０１について説明する。この第２実施形態では、突起部は、４本の突出部を含み、４本の突出部の先端を結ぶ形状が略直線形状に形成されていた、第１実施形態によるイヤホン装置１００とは異なり、突起部の４本の突出部の先端を結ぶ形状は、耳甲介の対耳輪側の耳壁面に沿う湾曲形状に形成されている。
【００４６】
本発明の第２実施形態によるイヤホン装置１０１は、図１０に示すように、耳甲介装着部４を含む。そして、耳甲介装着部４は、突起部４１を含む。
【００４７】
そして、図１０に示すように、突起部４１は、４本の歯部（突出部４２〜４５）を有する櫛歯形状に形成されている。そして、突出部４２〜４５は、それぞれ耳甲介の底面に向かう方向（図１０（ａ）の矢印Ｚ２方向）に凸形状を有するアーチ形状に形成されている（図１０（ｂ）参照）。また、突出部４２〜４５の４本の先端を結ぶ形状（図１０（ａ）の点線Ｅ１）は、外部から耳甲介の底面に向かう方向に見た場合に、耳甲介の対耳輪側の耳壁面に沿う湾曲形状を有するように形成されている。そして、突出部４２〜４５は、それぞれ外部から耳甲介の底面に向かう方向（図１０（ａ）のＺ２方向）に対して垂直方向（図１０（ａ）のＸＹ平面上）の面内において、一方方向に曲がりながら延びるように形成されている。また、第２実施形態によるイヤホン装置１０１のその他の構成は、第１実施形態におけるイヤホン装置１００と同様である。
【００４８】
第２実施形態では、以下のような効果を得ることができる。
【００４９】
第２実施形態では、上記のように、突起部４１を、外部から耳甲介の底面に向かう方向に見た場合に、耳甲介の対耳輪側の耳壁面に沿う湾曲形状を有するように形成する。これにより、突起部４１が、耳甲介の対耳輪側の耳壁面に対して直線形状を有するように形成されている場合と比べて、突起部４１と耳甲介の対耳輪側の耳壁面とが接触する面積を、より大きくすることができる。また、第２実施形態によるイヤホン装置１０１のその他の効果は、第１実施形態におけるイヤホン装置１００と同様である。
【００５０】
（第３実施形態）
次に、図１１を参照して、第３実施形態のイヤホン装置１０２について説明する。この第３実施形態では、突起部の複数の突出部が、外部から耳甲介の底面に向かう方向に見た場合に、互いに重ならないように形成されていた第１実施形態によるイヤホン装置１００とは異なり、外部から耳甲介の底面に向かう方向に見た場合に、互いに複数の突出部の一部が重なるように形成されている。
【００５１】
本発明の第３実施形態によるイヤホン装置１０２は、図１１に示すように、耳甲介装着部５を含む。そして、耳甲介装着部５は、突起部５１を含む。
【００５２】
そして、図１１に示すように、突起部５１は、突出部５２〜５５を含み、突出部５２〜５５は、外部から耳甲介の底面に向かう方向に見た場合に、互いに突出部５２〜５５の一部が重なるように形成されている。具体的には、突出部５２〜５５は、それぞれ耳甲介の底面に向かう方向（図１１（ａ）の矢印Ｚ２方向）に凸形状を有するアーチ形状に形成されている。また、突出部５２〜５５の４本の先端を結ぶ形状（図１１（ａ）の点線Ｅ２）は、外部から耳甲介の底面に向かう方向に見た場合に、耳甲介の対耳輪側の耳壁面に沿う湾曲形状を有するように形成されている。
【００５３】
そして、図１１に示すように、突出部５２〜５５は、それぞれ外部から耳甲介の底面に向かう方向（図１１（ａ）のＺ２方向）に対して垂直方向（図１１（ａ）のＸＹ平面上）の面内において、一方に曲がりながら延びるように形成されているとともに、突出部５２〜５５のそれぞれの隣り合う突出部５２〜５５の一部が重なり合う（図１１（ａ）の点線Ｇ）ように構成されている。すなわち、突出部５２〜５４の矢印Ｘ１方向側の端部がそれぞれ突出部５３〜５５の矢印Ｘ２方向側の端部の矢印Ｚ１方向側にオーバーラップするように構成されている。また、図１１（ｂ）に示すように、突出部５２〜５５はそれぞれ取付部１１の円周上と同一平面（ＸＹ平面）に対して、傾斜するように構成されている。すなわち、突出部５２〜５５のそれぞれの矢印Ｘ１方向側の部分が、矢印Ｘ２方向側の部分よりも矢印Ｚ２方向側に設けられるように（傾斜するように）構成されている。また、第３実施形態によるイヤホン装置１０２のその他の構成は、第１実施形態におけるイヤホン装置１００と同様である。
【００５４】
第３実施形態では、以下のような効果を得ることができる。
【００５５】
第３実施形態では、上記のように、突出部５２〜５５を、外部から耳甲介の底面に向かう方向に見た場合に、互いに突出部５２〜５５の一部が重なるように形成する。これにより、突出部５２〜５５が互いに離れて形成されている場合と比べて、突起部５１が弾性変形することにより生じる耳甲介の耳壁面に対して押圧する力は大きくなるので、イヤホン装置の耳介に対しての装着安定性をさらに効果的に向上させることができる。また、第３実施形態によるイヤホン装置１０２のその他の効果は、第１実施形態におけるイヤホン装置１００と同様である。
【００５６】
（第４実施形態）
次に、図１２を参照して、第４実施形態のイヤホン装置１０３について説明する。この第４実施形態では、突起部は、櫛歯形状に形成されていた、第１実施形態によるイヤホン装置１００とは異なり、突起部は、外部から耳甲介の底面に向かう方向に見た場合に、環状形状を有するように形成されている。
【００５７】
本発明の第４実施形態によるイヤホン装置１０３は、図１２に示すように、耳甲介装着部６を含む。そして、耳甲介装着部６は、突起部６１を含む。
【００５８】
そして、図１２に示すように、突起部６１は、耳甲介の底面に向かう方向（図１２（ａ）の矢印Ｚ２方向）に凸形状を有するアーチ形状に形成されているとともに（図１２（ｂ）参照）、外部から耳甲介の底面に向かう方向（図１２の矢印Ｚ２方向）に見た場合に、開口部を有する環状形状を有するように形成されている。そして、環状形状の突起部６１の円周部６１ａがユーザの耳甲介の耳壁面に接触することによって、イヤホン装置１０３を、ユーザの耳甲介に装着可能に構成されている。また、第４実施形態によるイヤホン装置１０３のその他の構成は、第１実施形態におけるイヤホン装置１００と同様である。
【００５９】
第４実施形態では、以下のような効果を得ることができる。
【００６０】
第４実施形態では、上記のように、突起部６１を、外部から耳甲介の底面に向かう方向に見た場合に、環状形状を有するように形成する。これにより、板状の突起部（すなわち、突起部の内部に開口を有しない）を用いた場合と異なり、突起部６１が変形し易くなるので、イヤホン装置１０３の耳介に対しての装着安定性をさらに向上させることができる。また、第４実施形態によるイヤホン装置１０３のその他の効果は、第１実施形態におけるイヤホン装置１００と同様である。
【００６１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６２】
たとえば、上記第１〜第４実施形態では、本発明の突起部の曲率半径を３０ｍｍに構成する例を示したが、本発明はこれに限られない。本発明は、曲率半径３０ｍｍ以外の突起部によって構成してもよい。たとえば、突起部の曲率半径を８ｍｍとしてもよいし、５００ｍｍとしてもよい。
【００６３】
また、上記第１〜第４実施形態では、本発明の突起部の曲率半径を一定の３０ｍｍに構成する例を示したが、本発明はこれに限られない。本発明は、突起部の一方側一部を曲率半径３０ｍｍとして、他方側の一部を曲率半径３０ｍｍ以外の突起部によって構成してもよい。たとえば、突起部の取付部側の曲率半径を１００ｍｍとして、突起部の先端部の曲率半径を５００ｍｍとしてもよい。
【００６４】
また、上記第１〜第３実施形態では、本発明の突起部として４本の突出部が設けられる例を示したが、本発明はこれに限られない。本発明は、４本の突出部以外の複数の突出部によって突起部を構成してもよい。たとえば、１０本の突出部が設けられてもよいし、３本の突出部が設けられてもよい。
【００６５】
また、上記第４実施形態では、本発明の環状形状の突起部として、環状形状の突起部と取付部とが２点で接続されるように構成する例を示したが、本発明はこれに限られない。たとえば、環状形状の突起部と取付部とが１点で接続してもよい。
【００６６】
また、上記第１および第３実施形態では、複数の突出部の突出部同士のそれぞれの隙間の間隔を取付部側をＤ１として先端部をＤ２とする構成を示したが、本発明はこれに限られない。複数の突出部の突出部同士のそれぞれの隙間の間隔を取付部側をＤ１として先端部をＤ２以外により構成してもよい。たとえば、隙間の間隔Ｄ１と隙間の間隔Ｄ２とは、等しい値としてもよい。
【００６７】
また、上記第３実施形態では、それぞれの突出部が傾斜するように構成される例を示したが、本発明はこれに限られない。本発明は、それぞれの突出部を傾斜しないように構成してもよい。たとえば、図１１（ｂ）において、それぞれの突出部５２〜５５の上面を図１１（ｂ）におけるＸ軸方向と平行になるように構成して、突出部５３が突出部５２よりも矢印Ｚ１方向側に設けられるように構成してもよい。すなわち、突出部５２、突出部５３、突出部５４、突出部５５の順に、Ｚ軸の矢印Ｚ２方向から矢印Ｚ１方向に向かって順に、取付部１１の円周上に沿って、設けられるように構成してもよい。
【符号の説明】
【００６８】
１、４、５、６  耳甲介装着部（耳甲介装着部材）
２  筐体部
１１  取付部
１２、４１、５１、６１  突起部
１３〜１６、４２〜４５、５２〜５５  突出部
１００、１０１、１０２、１０３  イヤホン装置
【図１】
2015111750.tif 000003
【図２】
2015111750.tif 000004
【図３】
2015111750.tif 000005
【図４】
2015111750.tif 000006
【図５】
2015111750.tif 000007
【図６】
2015111750.tif 000008
【図７】
2015111750.tif 000009
【図８】
2015111750.tif 000010
【図９】
2015111750.tif 000011
【図１０】
2015111750.tif 000012
【図１１】
2015111750.tif 000013
【図１２】
2015111750.tif 000014